(57)【要約】【課題】本発明は、放熱装置を提供することを目的とする。【解決手段】本発明に係る放熱装置は、放熱口を有するコンピューターケースに対して放熱するために用いられ、ファン、コントローラー、２つのプレート及び２つのモーターを備え、ファンは、コンピューターケースに固定され且つ放熱口に対面し、２つのモーターは、ファンの両側に固定され、２つのモーターのモーターシャフトは、ファンのファンシャフトに平行であり、２つのプレートは、別々に２つのモーターに回転可能に接続され、モーターシャフトの軸方向に沿った２つのプレートの間の距離は、少なくとも１つのプレートの厚さと同じであり、コントローラーは、ファン及び２つのモーターに電気的に接続されて、ファンのパワーオン信号又はパワーオフ信号を受信すると、２つのモーターを制御して２つのプレートを連動して回転させて、放熱口を遮蔽するか又は露出する。【選択図】図１
2012235094.tif 000002
【特許請求の範囲】
【請求項１】
放熱口を有するコンピューターケースに対して放熱するために用いられる放熱装置であって、ファン、コントローラー、２つのプレート及び２つのモーターを備え、
前記ファンは、前記コンピューターケースに固定され且つ前記放熱口に対面し、
２つの前記モーターは、前記ファンの両側に固定され、２つの前記モーターのモーターシャフトは、前記ファンのファンシャフトに平行であり、
２つの前記プレートは、別々に２つの前記モーターに回転可能に接続され、前記モーターシャフトの軸方向に沿った２つの前記プレートの間の距離は、少なくとも１つの前記プレートの厚さと同じであり、
前記コントローラーは、前記ファン及び２つの前記モーターに電気的に接続されて、前記ファンのパワーオン信号又はパワーオフ信号を受信すると、２つの前記モーターを制御して２つの前記プレートを連動して回転させて、前記放熱口を遮蔽するか又は露出することを特徴とする放熱装置。
【請求項２】
前記プレートは、前記モーターの前記モーターシャフトに接続される回転部及び前記回転部に接続される遮蔽部を備えることを特徴とする請求項１に記載の放熱装置。
【請求項３】
前記遮蔽部は、半円形であり、直線部分及び円弧部分を備え、前記回転部は、前記円弧部分に接続され且つ前記直線部分の中点に直交する垂直線上に位置することを特徴とする請求項２に記載の放熱装置。
【請求項４】
前記放熱装置は、第一制御分岐回路及び第二制御分岐回路を有する駆動回路をさらに備え、前記第一制御分岐回路及び前記第二制御分岐回路は、対応する前記モーターを駆動して前記モーターが異なる時間に相反する方向に向かって回転するようにすることを特徴とする請求項１から３のいずれか一項に記載の放熱装置。
【請求項５】
前記モーターは、第一電極柱、第二電極柱及び第三電極柱を備え、前記第二電極柱は、電源の負極に接続され、前記第一制御分岐回路は、前記電源の正極と前記第一電極柱との間に接続される第一継電器を備え、前記第一制御分岐回路が前記モーターを回転させる場合、前記第一継電器は、前記第一電極柱を前記電源の正極に接続し、前記第二制御分岐回路は、前記電源の正極と前記第三電極柱との間に接続される第二継電器を備え、前記第二制御分岐回路が前記モーターを回転させる場合、前記第二継電器は、前記第三電極柱を前記電源の正極に接続することを特徴とする請求項４に記載の放熱装置。
【請求項６】
前記コントローラーが前記ファンのパワーオン信号を受信すると、前記コントローラーは前記第一制御分岐回路に第一信号を出力し、前記第一制御分岐回路は、前記第一信号を受信すると、２つの前記モーターを制御して、２つの前記プレートを互いに離れるように回転させ、
前記コントローラーが前記ファンのパワーオフ信号を受信すると、前記コントローラーは前記第二制御分岐回路に第二信号を出力し、前記第二制御分岐回路は、前記第二信号を受信すると、２つの前記モーターを制御して、２つの前記プレートを互いに近づくように回転させることを特徴とする請求項４または５に記載の放熱装置。
【請求項７】
前記第一信号及び前記第二信号は、全て低レベル信号であることを特徴とする請求項６に記載の放熱装置。
【請求項８】
前記放熱装置は、前記コントローラーに電気的に接続されるリセット回路をさらに備え、前記リセット回路は、前記コントローラーが前記第一制御分岐回路及び前記第二制御分岐回路に高レベル信号を出力するように制御することを特徴とする請求項７に記載の放熱装置。
【発明の詳細な説明】
【技術分野】
【０００１】
本発明は、放熱装置に関するものであり、特にコンピューターケースに用いられる放熱装置に関するものである。
【背景技術】
【０００２】
コンピューターケースの側壁にファンを設置して、コンピューターケース内の空気の放出を促進し、コンピューターケースの放熱効率を高める。
【発明の概要】
【発明が解決しようとする課題】
【０００３】
しかし、ファンが停止すると、大量のゴミが排気口からファンに侵入して、ファンの性能に影響する。
【０００４】
本発明の目的は、前記課題を解決し、ファンが停止する場合、ファンの排気口に対面するケースの放熱口を閉鎖する放熱装置を提供することである。
【課題を解決するための手段】
【０００５】
本発明に係る放熱装置は、放熱口を有するコンピューターケースに対して放熱するために用いられ、ファン、コントローラー、２つのプレート及び２つのモーターを備え、前記ファンは、前記コンピューターケースに固定され且つ前記放熱口に対面し、２つの前記モーターは、前記ファンの両側に固定され、２つの前記モーターのモーターシャフトは、前記ファンのファンシャフトに平行であり、２つの前記プレートは、別々に２つの前記モーターに回転可能に接続され、前記モーターシャフトの軸方向に沿った２つの前記プレートの間の距離は、少なくとも１つの前記プレートの厚さと同じであり、前記コントローラーは、前記ファン及び２つの前記モーターに電気的に接続されて、前記ファンのパワーオン信号又はパワーオフ信号を受信すると、２つの前記モーターを制御して２つの前記プレートを連動して回転させて、前記放熱口を遮蔽するか又は露出することを特徴とする放熱装置。
【発明の効果】
【０００６】
本発明の放熱装置は、コンピューターケースに用いられ、ファンが停止する場合、プレートによってファンの排気口に対面するケースの放熱口を閉鎖することにより、大量のゴミがケースの放熱口からファンの排気口を通ってファンの内部に侵入することを防ぐ。
【図面の簡単な説明】
【０００７】
【図１】本発明の実施形態に係る放熱装置を用いるコンピューターケースを示す図である。
【図２】図１に示す放熱装置の放熱モジュールを示す図である。
【図３】図１に示す放熱装置の２つのプレートが互いに離れるように回転して、ファンの排気口とケースの放熱口とを連通させることを示す図である。
【図４】図１に示す放熱装置の２つのプレートが互いに近付くように回転して、ファンの排気口とケースの放熱口とが連通しないようにすることを示す図である。
【図５】図１に示す放熱装置の制御モジュールを示す図である。
【図６】図５に示す制御モジュールの駆動回路を示す図である。
【発明を実施するための形態】
【０００８】
以下、図面を参照して、本発明の実施形態について説明する。
【０００９】
図１及び図２を参照すると、コンピューターケース１００は、ケース１０と、前記ケース１０内に固定される放熱装置２０と、前記ケース１０内に固定される回路基板３０と、を備える。前記ケース１０の側壁１１０には、円形の放熱口１２０が設けられており、前記放熱口１２０には、フィルターが設置される。本実施形態において、前記回路基板３０はマザーボードである。
【００１０】
前記放熱装置２０は、制御モジュール２００及び放熱モジュール３００を備える。前記制御モジュール２００は、前記回路基板３０に固定されており、前記放熱モジュール３００は、前記ケース１０の内側に固定されて前記放熱口１２０に対面する。
【００１１】
前記放熱モジュール３００は、ファン３１０、２つのプレート３２０及び２つのモーター３３０を備える。
【００１２】
前記ファン３１０は、排気口３１２が設けられたベース３１１を備える。前記ファン３１０のベース３１１は、前記ケース１０の内側に固定される。本実施形態において、前記ファン３１０の排気口３１２は、略長方形の貫通孔であり、ちょうど前記ケース１０の放熱口１２０に対面する。
【００１３】
２つの前記モーター３３０は、前記ファン３１０の両側に固定されて、２つの前記プレート３２０を同時に回転させる。本実施形態において、２つの前記モーター３３０は、同じステッピングモーターであり、２つの前記モーター３３０のモーターシャフト３３１と前記ファン３１０のファンシャフト３１３とは平行であり且つ水平方向において同じ平面に位置する。
【００１４】
２つの前記プレート３２０は、前記ファン３１０のベース３１１と前記ケース１０の側壁１１０との間に位置する。２つの前記プレート３２０は、前記モーター３３０の２つのモーターシャフト３３１にそれぞれ固定される。２つの前記プレート３２０が回転過程で互いに干渉しないように、前記モーターシャフト３３１の軸方向に沿った２つの前記プレート３２０の間の距離は、少なくとも１つの前記プレート３２０の厚さと同じである。本実施形態において、前記モーターシャフト３３１の軸方向に沿った２つの前記プレート３２０の間の距離は、１つの前記プレート３２０の厚さと同じである。前記プレート３２０は、回転部３２１及び遮蔽部３２２を備える。前記回転部３２１は、前記モーター３３０のモーターシャフト３３１に接続され、一方の前記遮蔽部３２２は、前記放熱口１２０の半分を遮り、他方の前記遮蔽部３２２は、前記放熱口１２０の残りの半分を遮る。本実施形態において、前記遮蔽部３２２は半円形であり、前記遮蔽部３２２の半径は、円形の前記放熱口１２０の半径と同じである。２つの前記遮蔽部３２２が組み合わせられて円形を構成する場合、ちょうど前記放熱口１２０を閉鎖して、ゴミが前記ケース１０の放熱口１２０から前記ファン３１０の排気口３１２を通って前記ファン３１０の内部に侵入することを防ぐ。前記遮蔽部３２２は、直線部分３２２ａ及び円弧部分３２２ｂを備える。前記回転部３２１は、前記円弧部分３２２ｂに接続され、且つ前記直線部分３２２ａの中点に直交する垂直線上に位置する。
【００１５】
図３を参照すると、２つの前記モーター３３０は２つの前記プレート３２０を互いに離れるように回転させて、前記ケース１０の放熱口１２０と前記ファン３１０の排気口３１２とが連通される。図４を参照すると、２つの前記モーター３３０は２つの前記プレート３２０を互いに近付くように回転させて、２つの前記プレート３２０の遮蔽部３２２の直線部分３２２ａを重ね合わせて、２つの前記プレート３２０の遮蔽部３２２は、前記ケース１０の放熱口１２０を閉鎖して、前記ケース１０の放熱口１２０と前記ファン３１０の排気口３１２とが連通しないようにする。
【００１６】
図５を参照すると、前記制御モジュール２００は、コントローラー２１０、水晶発振回路２２０、２つの駆動回路２３０及び１つのリセット回路２４０を備える。前記水晶発振回路２２０、２つの前記駆動回路２３０及び前記リセット回路２４０は、全て前記コントローラー２１０に電気的に接続される。
【００１７】
本実施形態において、前記コントローラー２１０は、８９Ｃ２０５１マイクロコントローラーである。前記コントローラー２１０のＶＣＣ端子は、電源ＶＣＣに電気的に接続される。前記コントローラー２１０のＰ１．７端子は、前記ファン３１０に電気的に接続されて、前記ファン３１０のパワーオン信号又はパワーオフ信号を受信する。前記コントローラー２１０のＰ１．１端子及びＰ１．０端子は、それぞれプルアップレジスターＲ０に電気的に接続される。前記コントローラー２１０のＧＲＤ端子は接地する。
【００１８】
前記コントローラー２１０のＸＴＡＬ１端子及びＸＴＡＬ２端子は、全て前記水晶発振回路２２０に電気的に接続される。前記水晶発振回路２２０は、接地する２つのキャパシター２２１、２２２及び１つの水晶振動子２２３を備える。前記コントローラー２１０のＸＴＡＬ１端子は、前記キャパシター２２１及び前記水晶振動子２２３の一端に電気的に接続される。前記コントローラー２１０のＸＴＡＬ２端子は、前記キャパシター２２２及び前記水晶振動子２２３の他端に電気的に接続される。前記水晶振動子２２３は、前記コントローラー２１０のクロック周波数を生成するために用いられる。
【００１９】
前記コントローラー２１０のＰ３．０端子は、一方の前記駆動回路２３０の一端及び他方の前記駆動回路２３０の一端に電気的に接続され、前記コントローラー２１０のＰ３．１端子は、一方の前記駆動回路２３０の他端及び他方の前記駆動回路２３０の他端に電気的に接続される。２つの前記駆動回路２３０は、並列に接続される。前記コントローラー２１０は、Ｐ３．０端子及びＰ３．１端子によって２つの前記駆動回路２３０に制御信号を同時に送信する。
【００２０】
前記コントローラー２１０のＲＥＴ端子は、前記リセット回路２４０に電気的に接続される。前記リセット回路２４０は、キャパシター２４１、スイッチ２４２及びレジスター２４３を備える。前記コントローラー２１０のＲＥＴ端子は、前記キャパシター２４１、前記スイッチ２４２及び前記レジスター２４３の一端に電気的に接続される。前記キャパシター２４１及び前記スイッチ２４２の他端は、電源ＶＣＣに電気的に接続され、前記レジスター２４３の他端は接地する。前記スイッチ２４２を閉じる場合、前記コントローラー２１０がリセットされる。前記コントローラー２１０のＰ３．０端子及びＰ３．１端子は、全て前記駆動回路２３０に高レベル信号を送信する。
【００２１】
図６を参照すると、２つの前記駆動回路２３０は、２つの前記モーター３３０をそれぞれ駆動して同時に稼働させる。前記駆動回路２３０は、第一信号入力端子２３１、第二信号入力端子２３２、第一制御分岐回路２３３及び第二制御分岐回路２３４を備える。
【００２２】
前記第一信号入力端子２３１は、前記コントローラー２１０のＰ３．０端子に電気的に接続される。前記第一制御分岐回路２３３は、前記Ｐ３．０端子に順番に接続される第一レジスターＲ３、第一トランジスターＶ１、第二レジスターＲ４、第二トランジスターＶ２、第一継電器Ｊ１及び第一ダイオードＤ１を備える。前記第一レジスターＲ３は、前記コントローラー２１０のＰ３．０端子と前記第一トランジスターＶ１のベースとの間に直列に接続される。前記第一トランジスターＶ１のエミッタは、電源ＶＣＣに電気的に接続され、前記第一トランジスターＶ１のコレクタは、前記第二レジスターＲ４の一端に電気的に接続され、前記第二レジスターＲ４の他端は、前記第二トランジスターＶ２のベースに接続され、前記第二トランジスターＶ２のエミッタは接地する。前記第二トランジスターＶ２のコレクタは、前記第一継電器Ｊ１に接続される。前記第一継電器Ｊ１及び前記第一ダイオードＤ１は、並列に接続される。前記第一継電器Ｊ１は、電源９０と前記モーター３３０との間に接続される。本実施形態において、前記モーター３３０は、第一電極柱３３０ａ、第二電極柱３３０ｂ及び第三電極柱３３０ｃを備える。前記第一継電器Ｊ１は、前記電源９０の正極と前記モーター３３０の第一電極柱３３０ａとの間に接続される。前記電源９０の負極は、前記モーター３３０の第二電極柱３３０ｂに接続される。前記モーター３３０の第一電極柱３３０ａと第三電極柱３３０ｃとの間には、キャパシター３３２が接続される。前記第一継電器Ｊ１は、前記第一信号入力端子２３１からの制御信号によって、前記モーター３３０の第一電極柱３３０ａが前記電源９０に接続するかどうかを制御して、前記モーター３３０が第一方向に沿って回転するようにする。
【００２３】
前記第二信号入力端子２３２は、前記コントローラー２１０のＰ３．１端子に電気的に接続される。前記第二制御分岐回路２３４は、前記Ｐ３．１端子に順番に接続される第三レジスターＲ５、第三トランジスターＶ３、第四レジスターＲ６、第四トランジスターＶ４、第二継電器Ｊ２及び第二ダイオードＤ２を備える。前記第二制御分岐回路２３４の各々の素子の接続方法は、前記第一制御分岐回路２３３の各々の素子の接続方法とほぼ同じである。しかし、前記第二継電器Ｊ２は、前記電源９０の正極と前記モーター３３０の第三電極柱３３０ｃとの間に接続される。前記第二継電器Ｊ２は、前記第二信号入力端子２３２からの制御信号によって、前記モーター３３０の第三電極柱３３０ｃが前記電源９０に接続するかどうかを制御して、前記モーター３３０が前記第一方向に相反する第二方向に沿って回転するようにする。
【００２４】
前記コントローラー２１０は、予めモーターの回転数を設定する。本実施形態において、前記モーター３３０は１／２周回転するが、他の実施形態において、前記モーター３３０は１／４周又は３／４周回転することもでき、前記モーター３３０の駆動によって２つの前記プレート３２０が回転して前記ケース１０の放熱口１２０を露出すればよい。前記コントローラー２１０のＰ１．７端子が前記ファン３１０のパワーオン信号を受信すると、前記コントローラー２１０は前記Ｐ３．０端子によって第一信号を出力する。本実施形態において、前記第一信号は低レベル信号である。前記第一制御分岐回路２３３が前記第一信号を受信すると、前記第一継電器Ｊ１は２つの前記モーター３３０の第一電極柱３３０ａを前記電源９０に接続させる。２つの前記モーター３３０は、２つの前記プレート３２０を互いに離れるように回転させて、２つの前記モーター３３０の遮蔽部３２２が分離し、２つの前記モーター３３０が１／２周回転すると、２つの前記プレート３２０は回転を停止して、前記ケース１０の放熱口１２０と前記ファン３１０の排気口３１２とを連通し、前記ファン３１０に排気流路をもたらす。前記コントローラー２１０のＰ１．７端子が前記ファン３１０のパワーオフ信号を受信すると、前記コントローラー２１０は前記Ｐ３．１端子によって第二信号を出力する。本実施形態において、前記第二信号は低レベル信号である。前記第二制御分岐回路２３４が前記第二信号を受信すると、前記第二継電器Ｊ２は２つの前記モーター３３０の第三電極柱３３０ｃを前記電源９０に接続させる。２つの前記モーター３３０は、２つの前記プレート３２０を互いに近づくように回転させて、２つの前記モーター３３０が１／２周回転すると、２つの前記プレート３２０は回転を停止して、２つの前記遮蔽部３２２の直線部分３２２ａが重ね合わせられて、２つの前記モーター３３０の遮蔽部３２２は前記ケース１０の放熱口１２０と前記ファン３１０の排気口３１２との間に位置し、前記ケース１０の放熱口１２０を閉鎖して、前記ケース１０の放熱口１２０と前記ファン３１０の排気口３１２とが連通しないようにして、ゴミが前記ケース１０の放熱口１２０から前記ファン３１０の排気口３１２を通って前記ファン３１０の内部に侵入することを防ぐ。前記スイッチ２４２がユーザーの操作によって閉じられる場合、前記コントローラー２１０のＰ３．０端子及びＰ３．１端子は、全て高レベル信号を出力して、２つの前記モーター３３０の稼働を強制的に止める。
【００２５】
本発明の放熱装置２０は、前記コンピューターケース１００に用いられ、前記ファン３１０が停止する場合、前記プレート３２０によって前記ファン３１０の排気口３１２に対面する前記ケース１０の放熱口１２０を閉鎖することにより、大量のゴミが前記ケース１０の放熱口１２０から前記ファン３１０の排気口３１２を通って前記ファン３１０の内部に侵入することを防ぐ。
【００２６】
以上、本発明を実施例に基づいて具体的に説明したが、本発明は上述の実施例に限定されるものではなく、その要旨から逸脱しない範囲において種々の変更が可能であることは勿論であって、本発明の技術的範囲は以下の特許請求の範囲から決まる。
【符号の説明】
【００２７】
１０  ケース
２０  放熱装置
３０  回路基板
９０  電源
１００  コンピューターケース
１１０  側壁
１２０  放熱口
２００  制御モジュール
２１０  コントローラー
２２０  水晶発振回路
２２１，２２２，２４１，３３２  キャパシター
２２３  水晶振動子
２３０  駆動回路
２３１  第一信号入力端子
２３２  第二信号入力端子
２３３  第一制御分岐回路
２３４  第二制御分岐回路
２４０  リセット回路
２４２  スイッチ
２４３  レジスター
３００  放熱モジュール
３１０  ファン
３１１  ベース
３１２  排気口
３１３  ファンシャフト
３２０  プレート
３２１  回転部
３２２  遮蔽部
３２２ａ  直線部分
３２２ｂ  円弧部分
３３０  モーター
３３０ａ  第一電極柱
３３０ｂ  第二電極柱
３３０ｃ  第三電極柱
３３１  モーターシャフト
Ｄ１  第一ダイオード
Ｄ２  第二ダイオード
Ｊ１  第一継電器
Ｊ２  第二継電器
Ｒ０  プルアップレジスター
Ｒ３  第一レジスター
Ｒ４  第二レジスター
Ｒ５  第三レジスター
Ｒ６  第四レジスター
Ｖ１  第一トランジスター
Ｖ２  第二トランジスター
Ｖ３  第三トランジスター
Ｖ４  第四トランジスター
【図１】
2012235094.tif 000003
【図２】
2012235094.tif 000004
【図３】
2012235094.tif 000005
【図４】
2012235094.tif 000006
【図５】
2012235094.tif 000007
【図６】
2012235094.tif 000008